(57)【要約】【課題】第１画像に重ねて上書きした第２画像が表示されている場合でも、オペレータに第１画像を容易に確認させることができる商品情報処理装置を提供する。【解決手段】商品情報処理装置は、第１画像に重ねて上書きした第２画像を表示する表示部と、第２画像に定められた領域に対する操作を検出する検出部と、領域に対する操作が検出された場合、第１画像の少なくとも一部を表示させる制御部と、第１画像に示された情報をラベルに印字する印字部と、を備える。【選択図】図１
2014211819.tif 000002
【特許請求の範囲】
【請求項１】
第１画像に重ねて上書きした第２画像を表示する表示部と、
前記第２画像に定められた領域に対する操作を検出する検出部と、
前記領域に対する操作が検出された場合、前記第１画像の少なくとも一部を表示させる制御部と、
を備えることを特徴とする商品情報処理装置。
【請求項２】
前記制御部は、前記第１画像と前記第２画像とを重畳表示させている場合、前記第１画像の少なくとも一部を表示させることを特徴とする請求項１に記載の商品情報処理装置。
【請求項３】
前記制御部は、前記第２画像に定められた前記領域以外の上書きされた前記第１画像を表示させることを特徴とする請求項１又は請求項２に記載の商品情報処理装置。
【請求項４】
前記検出部は、前記操作としての前記領域への所定時間以上の接触を検出し、
前記制御部は、前記領域への所定時間以上の接触が検出された場合、前記第１画像の少なくとも一部を表示させ、前記領域への所定時間以上の接触が検出されない場合、前記第１画像に重ねて上書きした前記第２画像を表示させることを特徴とする請求項１から請求項３のいずれか一項に記載の商品情報処理装置。
【請求項５】
前記検出部は、前記操作としての前記領域への所定時間未満の接触を検出し、
前記制御部は、前記領域への所定時間未満の接触が検出された場合、前記第２画像に上書きされた前記第１画像の少なくとも一部を表示させ、前記領域への所定時間未満の接触が再検出された場合、前記第１画像に重ねて上書きした前記第２画像を表示させることを特徴とする請求項１から請求項４のいずれか一項に記載の商品情報処理装置。
【発明の詳細な説明】
【技術分野】
【０００１】
本発明は、商品情報処理装置に関する。
【背景技術】
【０００２】
オペレータの誤操作を防ぐことを目的とした商品情報処理装置（プリンタ）が、特許文献１に開示されている。
【先行技術文献】
【特許文献】
【０００３】
【特許文献１】特開２００８−９６６０７号公報
【発明の概要】
【発明が解決しようとする課題】
【０００４】
ところで、商品情報処理装置としてのラベルプリンタは、商品等に貼られるラベルに、その商品等に関する情報（例えば、商品の値段）を印字する。ラベルに印字される当該情報を示す画像は、ラベルプリンタを操作するオペレータが当該情報の入力及び設定を間違えないよう、ラベルプリンタの表示部の画面（例えば、値付画面）に表示される。
【０００５】
しかしながら、ラベルに印字される当該情報は、情報量が多いので、複数の画像（例えば、所定の第１画像及び第２画像）を用いて、画面に表示される。このため、同じ画面に、第１画像に重ねて上書きした第２画像が表示されている場合、ラベルプリンタは、オペレータに第１画像を容易に確認させることができないという問題がある。
【０００６】
本発明は、前記の点に鑑みてなされたものであり、同じ画面に、第１画像に重ねて上書きした第２画像が表示されている場合でも、オペレータに第１画像を容易に確認させることができる商品情報処理装置を提供することを目的とする。
【課題を解決するための手段】
【０００７】
本発明の一態様は、第１画像に重ねて上書きした第２画像を表示する表示部と、前記第２画像に定められた領域に対する操作を検出する検出部と、前記領域に対する操作が検出された場合、前記第１画像の少なくとも一部を表示させる制御部と、を備えることを特徴とする商品情報処理装置である。
この構成により、制御部は、第２画像に定められた領域に対する操作が検出された場合、第１画像の少なくとも一部を表示させる。これにより、同じ画面に、第１画像に重ねて上書きした第２画像が表示されている場合でも、商品情報処理装置は、オペレータが第１画像を容易に確認することができる。
【０００８】
つまり、ラベルに印字される当該情報の情報量は多いため、オペレータが商品情報処理装置に入力操作又は設定操作しなければならない情報量も多い。このため、商品情報処理装置は、商品等に関する入力情報を示す第２画像を、商品等に関する設定情報（対象項目）を示す第１画像に重ねるように上書きして、表示部に表示する。また、商品情報処理装置は、オペレータが商品情報処理装置への情報入力を完了した場合、第１画像に重ねて上書きした第２画像を再表示して、画面表示を元に戻す。
【０００９】
例えば、商品等に関する情報（例えば、商品の値段）を商品情報処理装置としてのラベルプリンタに入力するための値付画面に対する操作など、複数の画像が重ねられて上書き表示された画面に対する操作において、第２画像に上書きされた第１画像に示された情報を確認する場合、オペレータは、第２画像を非表示にさせて、第１画像に示された設定情報を確認した後、第２画像を再表示させてから入力情報を入力する操作を行う。これにより、商品情報処理装置は、表示の切り替え操作が煩雑でないため、オペレータによる入力操作及び設定操作の間違いを防止することができる。また、オペレータは、面倒な手間及び操作を行うことなく、入力操作又は設定操作を行うことができる。
【００１０】
また、本発明の一態様は、前記制御部が、前記第１画像と前記第２画像とを重畳表示させている場合、前記第１画像の少なくとも一部を表示させることを特徴とする商品情報処理装置である。
この構成により、制御部が、第１画像と第２画像とを重畳表示させている場合、第１画像の少なくとも一部を表示させる。つまり、制御部は、第２画像を画面からフェードアウトさせながら、その画面に第１画像の少なくとも一部をフェードインさせる。これにより、商品情報処理装置は、第１画像に重ねて上書きした第２画像が表示されている場合でも、オペレータに第１画像を容易に確認させることができる。
【００１１】
また、本発明の一態様は、前記制御部が、前記第２画像に定められた前記領域以外の上書きされた前記第１画像を表示させることを特徴とする商品情報処理装置である。
これにより、商品情報処理装置は、第１画像に重ねて上書きした第２画像が表示されている場合でも、第１画像のうち、第２画像に定められた領域以外に上書きされた部分を、オペレータに容易に確認させることができる。
【００１２】
また、本発明の一態様は、前記検出部が、前記操作としての前記領域への所定時間以上の接触を検出し、前記制御部が、前記領域への所定時間以上の接触が検出された場合、前記第１画像の少なくとも一部を表示させ、前記領域への所定時間以上の接触が検出されない場合、前記第１画像に重ねて上書きした前記第２画像を表示させることを特徴とする商品情報処理装置である。
この構成により、制御部は、第２画像に定められた領域への所定時間以上の接触（長時間のタッチ操作）が検出された場合、第２画像に上書きされた第１画像の少なくとも一部を表示させ、第２画像に定められた領域への所定時間以上の接触が検出されない場合、第１画像に重ねて上書きした第２画像を表示させる。重ねて表示した第２画像の下に隠された第１画像をオペレータが確認しようとする場合、商品情報処理装置は、重ねて表示した第２画像を非表示にする操作方法を、複数（例えば、短時間のタッチ操作、長時間のタッチ操作）備える。
これにより、前回設定していた対象項目が何であったのか、また、その設定情報が何であったのか等、設定情報を少しだけ確認すればよい場合、オペレータは、第２画像の所定領域を、所定時間以上にタッチ操作することにより、重ね表示した第２画像を非表示にして、設定情報を示す第１画像を、容易に確認することができる。オペレータは、設定情報の確認が終われば、タッチしている指を離すだけで画面が元に戻るので、画像表示の戻し忘れが無く、商品情報処理装置の操作も容易である。
【００１３】
また、本発明の一態様は、前記検出部が、前記操作としての前記領域への所定時間未満の接触を検出し、前記制御部が、前記領域への所定時間未満の接触が検出された場合、前記第２画像に上書きされた前記第１画像の少なくとも一部を表示させ、前記領域への所定時間未満の接触が再検出された場合、前記第１画像に重ねて上書きした前記第２画像を表示させることを特徴とする商品情報処理装置である。
この構成により、商品情報処理装置は、重ねて表示した第２画像の下に隠された第１画像をオペレータが確認しようとする場合、重ねて表示した第２画像を非表示にする方法を、複数備えている。
これにより、商品情報処理装置は、第１画像に重ねて表示した第２画像を、用途に応じて非表示にすることができる。例えば、商品等に関する入力情報又は設定情報（対象項目）を、時間をかけて確認しなければならない場合、オペレータは、重ねて表示した第２画像の所定領域以外を、第２画像の所定領域に対するワンタッチ操作で非表示にし、第１画像に示された設定情報を確認し、その後、入力情報を示す第２画像の所定領域を、再度のタッチ操作により、画面表示を元に戻すことができる。
【発明の効果】
【００１４】
本発明によれば、制御部は、第２画像に定められた領域に対する操作が検出された場合、第１画像の少なくとも一部を表示させる。これにより、同じ画面に、第１画像に重ねて上書きした第２画像が表示されている場合でも、商品情報処理装置は、オペレータに第１画像を容易に確認させることができる。
【図面の簡単な説明】
【００１５】
【図１】本発明の第１実施形態における、ラベルプリンタの構成例を示すブロック図である。
【図２】本発明の第１実施形態における、操作に応じて表示される画像の例を示す図である。
【図３】本発明の第１実施形態における、第１画像に重ねて上書きした第２画像を表示させるための操作例を示す図である。
【図４】本発明の第１実施形態における、第１画像に重ねて上書きした第２画像の表示例を示す図である。
【図５】本発明の第１実施形態における、重ねて上書きされた第１画像の一部を再表示させるための操作例を示す図である。
【図６】本発明の第１実施形態における、一部が再表示された第１画像の表示例を示す図である。
【図７】本発明の第１実施形態における、第１画像に重ねて上書きした第２画像を再表示させるための操作例を示す図である。
【図８】本発明の第１実施形態における、ラベルプリンタの動作手順の例を示すフローチャートである。
【図９】本発明の第２実施形態における、操作に応じて表示される画像の例を示す図である。
【図１０】本発明の第２実施形態における、重ねて上書きされた第１画像の一部を再表示させるための操作例を示す図である。
【図１１】本発明の第２実施形態における、一部が再表示された第１画像の例を示す図である。
【図１２】本発明の第２実施形態における、第１画像に重ねて上書きした第２画像を再表示させるための操作例を示す図である。
【図１３】本発明の第２実施形態における、ラベルプリンタの動作手順の例を示すフローチャートである。
【発明を実施するための形態】
【００１６】
［第１実施形態］
本発明の第１実施形態について図面を参照して詳細に説明する。図１には、ラベルプリンタの構成例が、ブロック図により示されている。商品情報処理装置としてのラベルプリンタは、商品等に貼られるラベルに、その商品等に関する情報（例えば、商品の値段）を印字する。ラベルプリンタ１は、制御装置１００と、はかり２と、印字機構部３と、操作部５とを備える。
【００１７】
ラベルプリンタ１は、所定の対象物（例えば、食品が載せられたトレイ、商品）を包装する包装部と、ラベルプリンタ１が発行したラベルを、包装された対象物に貼り付ける貼付部と、を有する包装装置（不図示）に備えられてもよい。
【００１８】
はかり２は、ロードセル２ａを有する。ロードセル２ａは、商品の重量を計測し、商品の重量を示す信号を制御装置１００に出力する。
印字機構部３は、制御装置１００による制御に基づいて、印字データを印字用フォーマットでラベル（媒体）に印字し、印字されたラベルを発行する。
【００１９】
操作部５は、キー操作部７と、タッチパネル９ａとを有する。キー操作部７は、オペレータによる操作入力を受け付け、キー操作部７を介した操作入力に応じた信号を、制御装置１００に出力する。タッチパネル９ａは、オペレータによる操作入力（例えば、アイコン画像を押下する操作）を受け付け、タッチパネル９ａを介した操作入力に応じた信号を、制御装置１００に出力する。例えば、タッチパネル９ａは、表示された画像に定められた領域に対する操作（操作入力）を検出し、操作入力に応じた信号を、制御装置１００に出力する。
【００２０】
操作部５は、液晶表示器９ｂ（表示部）を有する。液晶表示器９ｂは、タッチパネル９ａと一体に備えられ、制御装置１００による制御に基づいて、画像を表示する。液晶表示器９ｂの解像度は、例えば、６４０×４８０［ドット］である。なお、表示部は、液晶による表示器に限らず、例えば、有機ＥＬ（Ｅｌｅｃｔｒｏ Ｌｕｍｉｎｅｓｃｅｎｃｅ）による表示器でもよい。ラベルプリンタ１から発行されるラベルには、液晶表示器９ｂに表示された画像に示された情報が、印字されてもよい。
【００２１】
制御装置１００は、ラベルプリンタ１の各部を制御する。制御装置１００は、ＣＰＵ２０（Ｃｅｎｔｒａｌ Ｐｒｏｃｅｓｓｉｎｇ Ｕｎｉｔ）と、ロードセル制御部２１と、印字制御部２２と、操作制御部２４と、表示制御部２５と、ＲＡＭ３０（Ｒａｎｄｏｍ Ａｃｃｅｓｓ Ｍｅｍｏｒｙ）と、ＲＯＭ４０（Ｒｅａｄ Ｏｎｌｙ Ｍｅｍｏｒｙ）とを有する。
【００２２】
ＲＯＭ４０は、制御プログラムを予め記憶する。ＲＯＭ４０は、制御装置１００の電源が投入され、電力が供給された際、制御プログラムをＲＡＭ３０に展開する。
【００２３】
ロードセル制御部２１には、商品の重量を示す信号が、はかり２のロードセル２ａから入力される。ロードセル制御部２１は、商品の重量を示す信号を、ＣＰＵ２０に転送する。
印字制御部２２（印字部）は、ＣＰＵ２０による制御に基づいて画像処理（例えば、ビットマップ処理）を実行し、印字機構部３を制御する。例えば、印字制御部２２は、予め定められた印字用フォーマットで印字データをラベルに印字するよう、印字機構部３を制御する。なお、印字制御部２２には、印字結果を示す信号が、印字機構部３から入力されてもよい。
【００２４】
表示制御部２５は、ＣＰＵ２０による制御に基づいて画像処理を実行する。また、表示制御部２５は、画像処理された各種の画像を表示するよう、液晶表示器９ｂを制御する。例えば、表示制御部２５は、所定の第１画像を表示するよう、液晶表示器９ｂを制御する。また、表示制御部２５は、当該第１画像に重ねて上書きした所定の第２画像を表示するよう、液晶表示器９ｂを制御する。
【００２５】
操作制御部２４（検出部）には、キー操作部７を介した操作入力に応じた信号が、操作部５のキー操作部７から入力される。例えば、操作制御部２４は、値段を示す信号がキー操作部７から入力された場合、値段を示す信号（操作入力に応じた信号）を、ＣＰＵ２０に転送する。操作制御部２４には、タッチパネル９ａを介した操作入力に応じた信号が、操作部５のタッチパネル９ａから入力される。例えば、操作制御部２４は、検出した操作入力（例えば、タッチ操作）に応じた信号がタッチパネル９ａから入力された場合、操作入力に応じた信号を、ＣＰＵ２０に転送する。
【００２６】
ＲＡＭ３０は、各種データを一時記憶する。例えば、ＲＡＭ３０は、ＲＯＭ４０から展開された制御プログラムを一時記憶する。また、例えば、ＲＡＭ３０は、商品ファイルと、フォーマットファイルとを一時記憶する。
【００２７】
ＣＰＵ２０は、バスを介して制御装置１００の各部と接続されている。ＣＰＵ２０は、ＲＡＭ３０に展開された制御プログラムに基づいて、制御装置１００の各部を制御する。また、ＣＰＵ２０は、各種データをＲＡＭ３０に記憶させる。
【００２８】
ＣＰＵ２０には、操作入力に応じた信号が、操作制御部２４から入力される。ＣＰＵ２０は、液晶表示器９ｂに表示された第２画像に定められた領域に対する操作が検出された場合、第２画像に上書きされた第１画像の一部を、液晶表示器９ｂに再表示させる。ここで、ＣＰＵ２０は、第１画像と第２画像とを重畳表示させてから、第１画像の一部を表示させてもよい。
【００２９】
ＣＰＵ２０は、第１画像のうち、第２画像に定められた領域以外の上書きされた部分を表示させる。また、ＣＰＵ２０は、第２画像に定められた領域への所定時間以上の接触（タッチ操作）が検出された場合、第２画像に上書きされた第１画像の一部を表示させる。また、ＣＰＵ２０は、第２画像に定められた領域への所定時間以上の接触が検出されない場合、第１画像に重ねて上書きした第２画像を表示させる。
【００３０】
ＣＰＵ２０は、第２画像に定められた領域への所定時間未満の接触が検出された場合、第２画像に上書きされた第１画像の一部を表示させる。また、ＣＰＵ２０は、第２画像に定められた領域への所定時間未満の接触が再検出された場合、第１画像に重ねて上書きした第２画像を表示させる。
【００３１】
図２には、操作に応じて表示される画像の例が示されている。これらの画像は、液晶表示器９ｂ（図１を参照）の画面に、オペレータによる操作に応じて表示される。図２（Ａ）には、オペレータの指４００が液晶表示器９ｂの画面に触れていない場合における、第１画像２００に重ねて上書きした第２画像３００の表示例が示されている。第２画像３００には、一例として、第１領域３００ａと、第２領域３００ｂと、第３領域３００ｃとが定められている。
【００３２】
なお、第１領域３００ａには、第２画像３００を説明するための文字列が描かれていてもよい。また、第２領域３００ｂには、所定のマークが描かれていてもよい。また、第３領域３００ｃには、所定の操作キーの画像が描かれていてもよい。
【００３３】
図２（Ｂ）には、オペレータの指４００が液晶表示器９ｂの画面に触れ、オペレータの指４００による第１領域３００ａに対する操作（例えば、タッチ操作）が検出されてから、所定時間が経過していない（長時間のタッチ操作となっていない）場合における、第２画像３００の表示例が示されている。第１領域３００ａに対する操作が検出されても、第１領域３００ａへの接触が所定時間以上となっていないので、第２画像３００の第３領域３００ｃの透過率が低く、オペレータは、第１画像２００に示された情報を見ることができない。
【００３４】
図２（Ｃ）には、オペレータの指４００が液晶表示器９ｂの画面に触れ、オペレータの指４００による第１領域３００ａに対する操作が検出されてから、所定時間が経過した（長時間のタッチ操作となった）場合における、第２画像３００の表示例が示されている。第１領域３００ａに対する操作が検出されてから、第１領域３００ａへの接触が所定時間以上となったので、第２画像３００の第３領域３００ｃの透過率は、図２（Ｂ）に示す場合と比較して高い。つまり、第１画像２００と第２画像３００とは、重畳表示されている。これにより、オペレータは、第１画像２００に示された情報を、画面の最上層に表示された半透明の第３領域３００ｃを通して、見ることができる。
【００３５】
図２（Ｄ）には、オペレータの指４００が液晶表示器９ｂの画面に触れ、オペレータの指４００による第１領域３００ａに対する操作が検出されてから、さらに所定時間が経過した（さらに長時間のタッチ操作となった）場合における、第２画像３００の表示例が示されている。
【００３６】
第１領域３００ａに対する操作が検出されてから、第１領域３００ａへの接触がさらに所定時間以上となったので、第２画像３００の第３領域３００ｃの透過率は、図２（Ｃ）に示す場合と比較して高い。これにより、オペレータは、第１画像２００に示された情報を、画面に直接見ることができる。また、オペレータは、第１画像２００に示された情報の確認が終われば、タッチ操作している指４００を画面から離すだけで、図２（Ａ）に示す画像が表示される画面に表示を戻させることができる。
【００３７】
図３には、第１画像に重ねて上書きした第２画像を表示させるための操作例が示されている。図３に示す値付画面には、第１画像２００が表示されている。第１画像２００は、設定情報を示してもよい。設定情報には、例えば、商品名、値段などがある。これらの設定情報は、ラベルに印字されてもよい。オペレータは、設定情報を更新する入力情報を入力するための第２画像を、値付画面に表示させることができる。図３では、「電卓」と表示された操作キーの画像をタッチ操作することにより、設定情報を更新する入力情報を入力するための電卓画像（電卓機能）を、値付画面に表示させることができる。
【００３８】
図４には、第１画像に重ねて上書きした第２画像の表示例が示されている。図４は、図２（Ａ）の具体例を示す図である。より具体的には、第１画像２００に重ねて上書きした電卓の画像を含む第２画像３００が、第２画像３００の表示例として示されている。第２画像３００には、第１領域３００ａと、第２領域３００ｂと、第３領域３００ｃとが定められている。第３領域３００ｃには、操作キーを有する電卓の画像が描かれている。電卓の画像に描かれた操作キーの画像を介した入力操作により、入力情報がＣＰＵ２０（図１を参照）に入力される。ＣＰＵ２０は、電卓の画像の表示部に、入力情報としての計算結果を表示させてもよい。
【００３９】
第３領域３００ｃには、複数の操作キーの画像（例えば、値段）が描かれている。これらの操作キーの画像を介した入力操作により、入力情報がＣＰＵ２０に入力される。ＣＰＵ２０は、第１画像２００の該当欄に、入力情報を表示させてもよい。また、ＣＰＵ２０は、入力情報に基づいて、ＲＡＭ４０に記憶された設定情報を更新してもよい。例えば、「値段」の操作キーの画像を介した入力操作により、ＣＰＵ２０は、その入力情報が示す「値段」を、第１画像２００に割り当てられた「値段」欄（図３を参照）に表示させてもよい。また、ＣＰＵ２０は、入力情報「値段」に基づいて、設定情報「値段」を更新してもよい。
【００４０】
図５には、重ねて上書きされた第１画像の一部を再表示させるための操作例が示されている。図５は、図２（Ｂ）の具体例を示す図である。より具体的には、オペレータの指４００が液晶表示器９ｂの画面に触れ、オペレータの指４００による第１領域３００ａに対する操作（例えば、タッチ操作）が検出されてから、所定時間が経過していない（長時間のタッチ操作となっていない）場合における、第２画像３００の表示例が示されている。
【００４１】
第１領域３００ａに対する操作が検出されても、第１領域３００ａへの接触が所定時間以上となっていないので、第２画像３００の第３領域３００ｃの透過率が低く、オペレータは、第１画像２００に示された情報を見ることができない。
【００４２】
図６には、一部が再表示された第１画像の表示例が示されている。図６は、図２（Ｄ）の具体例を示す図である。より具体的には、オペレータの指４００が液晶表示器９ｂの画面に触れ、オペレータの指４００による第１領域３００ａに対する操作が検出されてから、さらに所定時間が経過した（さらに長時間のタッチ操作となった）場合における、第２画像３００の表示例が示されている。
【００４３】
第１領域３００ａに対する操作が検出されてから、第１領域３００ａへの接触がさらに所定時間以上となったので、第２画像３００の第３領域３００ｃの透過率は、図５に示す場合と比較して高い。つまり、第１画像２００と第２画像３００とは、重畳表示されている。これにより、オペレータは、第１画像２００に示された情報を、値付画面に直接見ることができる。
【００４４】
図７には、第１画像に重ねて上書きした第２画像を再表示させるための操作例が示されている。オペレータは、第１画像２００に示された情報の確認が終われば、タッチ操作している指４００を離す（タッチ状態の解除）だけで、図４に示す画像、すなわち、第１画像２００に重ねて上書きした第２画像３００に、表示を戻させることができる。
【００４５】
次に、ラベルプリンタの動作手順を説明する。
図８は、ラベルプリンタの動作手順の例を示すフローチャートである。
（ステップＳ１）液晶表示器９ｂは、第１画像２００を表示する。
【００４６】
（ステップＳ２）ＣＰＵ２０は、終了指示があるか否かを判定する。終了指示がある場合（ステップＳ２：Ｙｅｓ）、ＣＰＵ２０は、処理を終了する。一方、終了指示がない場合（ステップＳ２：Ｎｏ）、ＣＰＵ２０は、ステップＳ３に処理を進める。
【００４７】
（ステップＳ３）ＣＰＵ２０は、第１操作（例えば、図３を参照）を操作制御部２４が検出したか否かを判定する。第１操作を操作制御部２４が検出した場合（ステップＳ３：Ｙｅｓ）、ＣＰＵ２０は、ステップＳ４に処理を進める。一方、第１操作を操作制御部２４が検出していない場合（ステップＳ３：Ｎｏ）、ＣＰＵ２０は、ステップＳ１に処理を戻す。
【００４８】
（ステップＳ４）液晶表示器９ｂは、第１画像２００に重ねて上書きした第２画像３００を表示する（図２（Ａ）を参照）。
【００４９】
（ステップＳ５）ＣＰＵ２０は、終了指示があるか否かを判定する。終了指示がある場合（ステップＳ５：Ｙｅｓ）、ＣＰＵ２０は、処理を終了する。一方、終了指示がない場合（ステップＳ５：Ｎｏ）、ＣＰＵ２０は、ステップＳ６に処理を進める。
【００５０】
（ステップＳ６）ＣＰＵ２０は、第２操作（図２（Ｂ）を参照）を操作制御部２４が検出したか否かを判定する。第２操作を操作制御部２４が検出した場合（ステップＳ６：Ｙｅｓ）、ステップＳ７に処理を進める。一方、第２操作を操作制御部２４が検出していない場合（ステップＳ６：Ｎｏ）、ＣＰＵ２０は、ステップＳ４に処理を戻す。
【００５１】
（ステップＳ７）液晶表示器９ｂは、上書きされた第１画像２００の一部（第１画像２００のうち、第２画像３００の第３領域３００ｃに上書きされた部分）を表示する（図２（Ｂ）及び（Ｄ）を参照）。ここで、液晶表示器９ｂは、第３領域３００ｃの透過率を段階的に上げて、第３領域３００ｃをフェードアウトさせてもよい。ＣＰＵ２０は、ステップＳ６に処理を戻す。
【００５２】
以上のように、ラベルプリンタ１は、第１画像２００に重ねて上書きした第２画像３００を表示する液晶表示器９ｂと、第２画像３００に定められた領域（例えば、第１領域３００ａ）に対する操作を検出するタッチパネル９ａ及び操作制御部２４と、領域に対する操作が検出された場合、第２画像３００に上書きされた第１画像２００の一部を表示させるＣＰＵ２０と、第１画像２００に示された情報をラベルに印字する印字制御部２２と、を備える。
【００５３】
ＣＰＵ２０は、第１画像２００と第２画像３００とを重畳表示させてから、第１画像２００の一部を表示させてもよい。例えば、ＣＰＵ２０は、画面から第２画像３００をフェードアウトさせてから、その画面に第１画像２００を表示させてもよい。
ＣＰＵ２０は、第１画像２００のうち、領域以外（例えば、第３領域３００ｃ）により上書きされた部分を表示させてもよい。
【００５４】
タッチパネル９ａ及び操作制御部２４は、操作としての領域への所定時間以上の接触（例えば、図５を参照）を検出し、ＣＰＵ２０は、領域への所定時間以上の接触（長時間のタッチ操作）が検出された場合、第２画像３００に上書きされた第１画像２００の一部を表示させ（図６を参照）、領域への所定時間以上の接触が検出されない場合、第１画像２００に重ねて上書きした第２画像３００を表示させてもよい（図７を参照）。
【００５５】
包装装置は、第１画像２００に重ねて上書きした第２画像３００を表示する液晶表示器９ｂと、第２画像３００に定められた領域（例えば、第１領域３００ａ）に対する操作を検出するタッチパネル９ａ及び操作制御部２４と、領域に対する操作が検出された場合、第２画像３００に上書きされた第１画像の一部を表示させるＣＰＵ２０と、第１画像２００に示された情報をラベルに印字する印字制御部２２と、を有するラベルプリンタ１と、所定の対象物を包装する包装部（不図示）と、包装された対象物にラベルを貼り付ける貼付部（不図示）と、を備える。
【００５６】
［第２実施形態］
第２実施形態では、再度操作されるまで第１画像２００が再表示され続ける点が、第１実施形態と相違する。以下では、第１実施形態との相違点についてのみ説明する。
【００５７】
図９には、操作に応じて表示される画像の例を示す図である。図９（Ａ）は、第１実施形態に示した図２（Ａ）の具体例を示す図である。図９（Ｂ）には、オペレータの指４００が液晶表示器９ｂの画面に触れ、オペレータの指４００による第２領域３００ｂに対する操作（例えば、タッチ操作）が検出され、その検出がまだ確定していない場合における、第２画像３００の表示例が示されている。第２領域３００ｂに対する操作が検出され、その検出がまだ確定していない場合、第２画像３００の第３領域３００ｃの透過率が低く、オペレータは、第１画像２００に示された情報を見ることができない。
【００５８】
図９（Ｃ）には、オペレータの指４００が液晶表示器９ｂの画面に触れ、オペレータの指４００による第２領域３００ｂに対する操作が検出され、その検出が確定した場合における、第２画像３００の表示例が示されている。第２領域３００ｂに対する操作が検出され、その検出が確定した場合、第２画像３００の第３領域３００ｃの透過率は、図９（Ｂ）に示す場合と比較して高い。これにより、オペレータは、第１画像２００に示された情報を、画面に直接見ることができる。
【００５９】
図９（Ｄ）には、オペレータの指４００が液晶表示器９ｂの画面に触れ、オペレータの指４００による第２領域３００ｂに対する操作が再検出された場合における、第２画像３００の表示例が示されている。オペレータは、第１画像２００に示された情報の確認が終われば、第２領域３００ｂに対して再度のタッチ操作をするだけで、図９（Ａ）に示す画像に表示を戻させることができる。
【００６０】
図１０には、重ねて上書きされた第１画像の一部を再表示させるための操作例が示されている。図１０は、図９（Ｂ）の具体例を示す図である。より具体的には、第１画像２００に重ねて上書きした第２画像３００が表示されている状態（図４を参照）から、オペレータの指４００が液晶表示器９ｂの画面に触れ、オペレータの指４００による第２領域３００ｂに対する操作（例えば、タッチ操作）が検出され、その検出がまだ確定していない場合における、第２画像３００の表示例が示されている。
【００６１】
第２領域３００ｂに対する操作が検出され、その検出がまだ確定していない場合、第２画像３００の第３領域３００ｃの透過率が低く、オペレータは、第１画像２００に示された情報を見ることができない。
【００６２】
図１１には、一部が再表示された第１画像の例が示されている。図１１は、図９（Ｃ）の具体例を示す図である。より具体的には、オペレータの指４００が液晶表示器９ｂの画面に触れ、オペレータの指４００による第２領域３００ｂに対する操作が検出され、その検出が確定した場合における、第２画像３００の表示例が示されている。第２領域３００ｂに対する操作が検出され、その検出が確定した場合、第２画像３００の第３領域３００ｃの透過率は、図１０に示す場合と比較して高い。これにより、オペレータは、最上層以外に表示された第１画像２００に示された情報を、値付画面に直接見ることができる。
【００６３】
図１２には、第１画像に重ねて上書きした第２画像を再表示させるための操作例が示されている。図１２は、図９（Ｄ）の具体例を示す図である。より具体的には、オペレータの指４００が液晶表示器９ｂの画面に触れ、オペレータの指４００による第２領域３００ｂに対する操作が再検出された場合における、第２画像３００の表示例が示されている。オペレータは、第１画像２００に示された情報の確認が終われば、第２領域３００ｂに再度のタッチ操作をするだけで、図４に示す画像に表示を戻させることができる。
【００６４】
次に、ラベルプリンタの動作手順を説明する。
図１３は、ラベルプリンタの動作手順の例を示すフローチャートである。
（ステップＳａ１）液晶表示器９ｂは、第１画像２００を表示する。
【００６５】
（ステップＳａ２）ＣＰＵ２０は、終了指示があるか否かを判定する。終了指示がある場合（ステップＳａ２：Ｙｅｓ）、ＣＰＵ２０は、処理を終了する。一方、終了指示がない場合（ステップＳａ２：Ｎｏ）、ＣＰＵ２０は、ステップＳａ３に処理を進める。
【００６６】
（ステップＳａ３）ＣＰＵ２０は、第１操作（例えば、図３を参照）を操作制御部２４が検出したか否かを判定する。第１操作を操作制御部２４が検出した場合（ステップＳａ３：Ｙｅｓ）、ＣＰＵ２０は、ステップＳ４に処理を進める。一方、第１操作を操作制御部２４が検出していない場合（ステップＳａ３：Ｎｏ）、ＣＰＵ２０は、ステップＳａ１に処理を戻す。
【００６７】
（ステップＳａ４）液晶表示器９ｂは、第１画像２００に重ねて上書きした第２画像３００を表示する（図９（Ａ）を参照）。
【００６８】
（ステップＳａ５）ＣＰＵ２０は、終了指示があるか否かを判定する。終了指示がある場合（ステップＳａ５：Ｙｅｓ）、ＣＰＵ２０は、処理を終了する。一方、終了指示がない場合（ステップＳａ５：Ｎｏ）、ＣＰＵ２０は、ステップＳａ６に処理を進める。
【００６９】
（ステップＳａ６）ＣＰＵ２０は、第３操作（図９（Ｂ）を参照）を操作制御部２４が検出したか否かを判定する。第３操作を操作制御部２４が検出した場合（ステップＳａ６：Ｙｅｓ）、ステップＳａ７に処理を進める。一方、第３操作を操作制御部２４が検出していない場合（ステップＳａ６：Ｎｏ）、ＣＰＵ２０は、ステップＳａ４に処理を戻す。
【００７０】
（ステップＳａ７）液晶表示器９ｂは、上書きされた第１画像２００の一部（第１画像２００のうち、第２画像３００の第３領域３００ｃに上書きされた部分）を表示する（図９（Ｃ）を参照）。ＣＰＵ２０は、所定時間だけ待ってから、ステップＳａ８に処理を進める。
【００７１】
（ステップＳａ８）液晶表示器９ｂは、第３操作（図９（Ｄ）を参照）を操作制御部２４が再検出したか否かを判定する。第３操作を操作制御部２４が再検出した場合（ステップＳａ８：Ｙｅｓ）、ステップＳａ４に処理を戻す。一方、第３操作を操作制御部２４が再検出していない場合（ステップＳａ８：Ｎｏ）、ＣＰＵ２０は、ステップＳａ７に処理を戻す。
【００７２】
以上のように、タッチパネル９ａ及び操作制御部２４は、操作としての領域への所定時間未満の接触を検出し、ＣＰＵ２０は、領域（例えば、第２領域３００ｂ）への所定時間未満の接触（タッチ）が検出された場合（例えば、図１０を参照）、第１画像２００の少なくとも一部を表示させ（図１１を参照）、領域への所定時間未満の接触（タッチ）が再検出された場合（例えば、図１２を参照）、第１画像２００に重ねて上書きした第２画像３００を表示させてもよい（図１３を参照）。
【００７３】
なお、本実施形態では、商品情報処理装置の一例としてのラベルプリンタを示したが、商品情報処理装置は、ラベルプリンタに限られない。表示部を備える装置、例えば、前述の包装装置の他に、ラベル貼附装置、ＰＯＳレジスタ（商品販売データ処理装置）、又は、秤装置に本発明を利用することにより、商品情報処理装置は、同様の効果を奏することができる。
【００７４】
以上、この発明の実施形態について図面を参照して詳述してきたが、具体的な構成はこの実施形態に限られるものではなく、この発明の要旨を逸脱しない範囲の設計等も含まれる。
【００７５】
なお、上記に説明したラベルプリンタ、及び包装装置を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００７６】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００７７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【００７８】
以上の説明に関し、さらに以下の構成を開示する。
（付記１）
商品情報処理装置の検出部は、定められた複数の領域の何れが操作として接触されたかを検出する。商品情報処理装置の制御部は、定められた複数の領域のうち、一方の領域への接触が検出された場合、第１画像の少なくとも一部を表示させ、他方の領域への接触が検出された場合、第１画像に重ねて上書きした第２画像を表示させてもよい。
【符号の説明】
【００７９】
１…ラベルプリンタ、２…はかり、２ａ…ロードセル、３…印字機構部、５…操作部、７…キー操作部、９ａ…タッチパネル、９ｂ…液晶表示器（表示部）、２０…ＣＰＵ（制御部）、２１…ロードセル制御部、２２…印字制御部（印字部）、３０…ＲＡＭ、２４…操作制御部（検出部）、２５…表示制御部、４０…ＲＯＭ、１００…制御装置、２００…第１画像、３００…第２画像、３００ａ…第１領域、３００ｂ…第２領域、３００ｃ…第３領域、４００…指
【図１】
2014211819.tif 000003
【図３】
2014211819.tif 000004
【図４】
2014211819.tif 000005
【図５】
2014211819.tif 000006
【図６】
2014211819.tif 000007
【図７】
2014211819.tif 000008
【図８】
2014211819.tif 000009
【図１０】
2014211819.tif 000010
【図１１】
2014211819.tif 000011
【図１２】
2014211819.tif 000012
【図１３】
2014211819.tif 000013
【図２】
2014211819.tif 000014
【図９】
2014211819.tif 000015